(57)【特許請求の範囲】
【請求項１】
同軸ケーブルの先端に接続され、相手方レセプタクルに着脱自在な同軸コネクタにおいて、
先端部に相手方レセプタクルの外部導体の外周部に形成された溝部に嵌合する突部が形成されたばね部を有する筒状のハウジングと、前記ハウジング内に収納された筒状のブッシングと、前記ブッシング内に収納されて前記相手方レセプタクルの内部端子と接触する中心導体プローブと、前記ハウジングの外周部に軸方向に移動可能に保持された筒状のスリーブと、を備え、
前記スリーブは、上部に前記ハウジングの外周部に弾性的に接触するロック片を有し、かつ、下部に前記ハウジングのばね部の拡がりを規制する環状部を有し、
前記ハウジングはその外周部に前記ロック片が係脱可能な第１係合部及び第２係合部を軸方向に所定の間隔で形成され、
前記ハウジングのばね部が前記相手方レセプタクルの溝部に嵌合する前には、前記スリーブのロック片が前記第１係合部に係合するとともにスリーブの環状部がハウジングのばね部に対する規制を解除した状態にあり、
前記ハウジングのばね部が前記相手方レセプタクルの溝部に嵌合した後は、前記スリーブのロック片が前記第２係合部と係合するとともにスリーブの環状部がハウジングのばね部の拡がりを規制する状態にあること、
を特徴とする同軸コネクタ。
【請求項２】
前記ロック片は前記スリーブに設けた弾性片の先端に設けた突部からなり、前記第１係合部及び第２係合部は前記ハウジングの外周部に形成した環状の溝部であること、を特徴とする請求項１に記載の同軸コネクタ。
【請求項３】
前記弾性片は前記スリーブの筒状部に軸方向に形成した複数のスリットによって構成されていることを特徴とする請求項２に記載の同軸コネクタ。
【請求項４】
前記ハウジングと前記スリーブとの間に弾性部材が介在されており、この弾性部材は前記第１係合部が前記ロック片と係合する方向にスリーブを付勢していることを特徴とする請求項１ないし請求項３のいずれかに記載の同軸コネクタ。
【請求項５】
前記スリーブは、前記ハウジングの上部外周面に弾性的に接触するロック片とハウジングのばね部外周面に接触して該ばね部の拡がりを規制する環状部とからなる第１スリーブと、該第１スリーブの上部及びハウジングの上部を覆う第２スリーブとを接合一体化してなることを特徴とする請求項１ないし請求項４のいずれかに記載の同軸コネクタ。
【請求項６】
前記第２スリーブの外径に対して前記第１スリーブの外径が小さいことを特徴とする請求項５に記載の同軸コネクタ。
【請求項７】
内部導体とシールド導体とを有する同軸ケーブルを備え、前記内部導体が前記中心導体プローブに接続されるとともに、前記シールド導体が前記ハウジングに接続されていることを特徴とする請求項１ないし請求項６のいずれかに記載の同軸コネクタ。
【請求項８】
請求項１ないし請求項７のいずれかに記載の同軸コネクタからなり、オン／オフのスイッチ機能を有する相手方レセプタクルに着脱自在であることを特徴とする測定用同軸プローブ。
【発明の詳細な説明】
【技術分野】
【０００１】
本発明は、同軸コネクタ、特に、同軸ケーブルの先端に接続され、相手方レセプタクルに着脱自在な同軸コネクタ、及び、測定用同軸プローブに関する。
【背景技術】
【０００２】
従来、同軸コネクタとして、特許文献１に記載のものが知られている。この同軸コネクタは図１１に示すように、外部導体部材１１５を外側から保持する軸方向に移動可能なスリーブ（可動部材１１６、カップリングナット１１７）を備えている。
【０００３】
ところが、この同軸コネクタでは、外部導体部材１１５の外側に設けたスリーブは、それぞれが独立して移動可能な可動部材１１６とカップリングナット１１７からなり、二つのコイルばね１２０，１２１が設けられている。そして、可動部材１１６はばね部１１６ａを有し、先端部に突部１１５ｂの逃げ部となりかつ突部１１５ｂを規制する突部１１６ｂを設けるなど、部品点数が多くて構造的に複雑であり、製造コストも高く付くという問題点を有していた。また、先端部（突部１１５ｂ，１１６ｂ）の外形が大きくなってその強度が保てず、相手方コネクタへの脱着の繰り返しで変形、劣化しやすいものであった。
【０００４】
また、相手方コネクタとの装着／離脱の際に複雑な操作が必要であった。即ち、装着時には、スリーブ（可動部材１１６、カップリングナット１１７）を外部導体部材１１５の先端突部１１５ｂよりも相手方コネクタ側へ移動させ、スリーブの先端を相手方コネクタに押し付けて位置決めした後、反対側に移動させてスリーブで外部導体部材１１５の先端部を押さえつけてロックさせる必要があった。
【特許文献１】特開平１０−３２０４２号公報
【発明の開示】
【発明が解決しようとする課題】
【０００５】
そこで、本発明の目的は、簡単な構成からなり、相手方レセプタクルへの装着／離脱が容易で、繰り返しの使用に耐え得る同軸コネクタ及び測定用同軸プローブを提供することにある。
【課題を解決するための手段】
【０００６】
前記目的を達成するため、本発明は、同軸ケーブルの先端に接続され、相手方レセプタクルに着脱自在な同軸コネクタにおいて、
先端部に相手方レセプタクルの外部導体の外周部に形成された溝部に嵌合する突部が形成されたばね部を有する筒状のハウジングと、前記ハウジング内に収納された筒状のブッシングと、前記ブッシング内に収納されて前記相手方レセプタクルの内部端子と接触する中心導体プローブと、前記ハウジングの外周部に軸方向に移動可能に保持された筒状のスリーブと、を備え、
前記スリーブは、上部に前記ハウジングの外周部に弾性的に接触するロック片を有し、かつ、下部に前記ハウジングのばね部の拡がりを規制する環状部を有し、
前記ハウジングはその外周部に前記ロック片が係脱可能な第１係合部及び第２係合部を軸方向に所定の間隔で形成され、
前記ハウジングのばね部が前記相手方レセプタクルの溝部に嵌合する前には、前記スリーブのロック片が前記第１係合部に係合するとともにスリーブの環状部がハウジングのばね部に対する規制を解除した状態にあり、
前記ハウジングのばね部が前記相手方レセプタクルの溝部に嵌合した後は、前記スリーブのロック片が前記第２係合部と係合するとともにスリーブの環状部がハウジングのばね部の拡がりを規制する状態にあること、
を特徴とする。
【０００７】
本発明に係る同軸コネクタにおいては、ハウジングに対して弾性的に接触しつつ軸方向に移動可能なスリーブを設けるという簡単な構成からなる。そして、相手方レセプタクルに対する装着時には、作業者がスリーブを指でつまんでハウジングの先端部を相手方レセプタクルの外部導体に押し付けるのみで、ハウジングの先端ばね部を外部導体の溝部に嵌合させ、かつ、スリーブが移動してそのロック片が第２係合部に係合し、スリーブの下部に設けた環状部がハウジングの先端ばね部の拡がりを規制するロック状態が維持される。一方、相手方レセプタクルからの離脱時には、作業者がスリーブを指でつまんで引き抜くだけで、ロック片が第２係合部との係合を解除されるとともに、スリーブの環状部がハウジングの先端ばね部に対する規制を解除するので、ハウジングの先端ばね部が外部導体の溝部との嵌合を解除され、ハウジングが相手方レセプタクルから離脱する。また、ロック片は弾性的に第１係合部及び第２係合部に係脱するために、使用者はロック感を得ることができる。
【０００８】
本発明に係る同軸コネクタにおいて、ロック片はスリーブに設けた弾性片の先端に設けた突部からなり、前記第１係合部及び第２係合部は前記ハウジングの外周部に形成した環状の溝部であってもよい。さらに、前記弾性片はスリーブの筒状部に軸方向に形成した複数のスリットによって構成されていてもよい。簡易な構造でロック手段を形成できる。
【０００９】
また、ハウジングとスリーブとの間に弾性部材が介在されており、この弾性部材は第１係合部がロック片と係合する方向にスリーブを付勢する構成とすることが好ましい。同軸コネクタが相手方レセプタクルから離脱した際に、スリーブが確実に初期位置に復帰することになる。
【００１０】
あるいは、スリーブは、ハウジングの上部外周面に弾性的に接触するロック片とハウジングのばね部外周面に接触して該ばね部の拡がりを規制する環状部とからなる第１スリーブと、該第１スリーブの上部及びハウジングの上部を覆う第２スリーブとを接合一体化して構成することが好ましい。スリーブを二つの部材で構成することにより、それぞれの部材を適切な形状に容易に製作でき、組立ても簡単なものになる。さらに、第２スリーブは外装ケースとしても機能し、ロック片などの内部部品を保護する。
【００１１】
そして、第２スリーブの外径に対して第１スリーブの外径が小さいことが好ましい。下部に位置する第１スリーブが細いので、携帯電話機などのケースに大きな穴を開けることなく挿入が可能となる。上部に位置する第２スリーブが太いので、作業者が指で容易につまむことができ、装着／離脱の作業がしやすくなる。
【００１２】
さらに、前記同軸コネクタは測定用同軸プローブとして好適に用いることができる。
【発明の効果】
【００１３】
本発明によれば、構成部品が少なくて組立てが容易であり、可動部材はスリーブのみであるので、相手方レセプタクルへの装着／離脱が容易で、繰り返しの使用に耐えることができる。
【発明を実施するための最良の形態】
【００１４】
以下、本発明に係る同軸コネクタ及び測定用同軸プローブの実施例について添付図面を参照して説明する。
【００１５】
（第１実施例、図１〜図７参照）
本発明の第１実施例である測定用同軸プローブ１Ａは、図１に示すように、中心導体プローブ１０と、ブッシング２０と、ハウジング２５と、スリーブ３０と、ディスク２１と、コイルばね２２と、キャップ２３とで構成されている。また、相手方レセプタクル２は、図７に示すように、中心孔４を有するケース３にグランド端子（外部導体）５、第１内部端子６、第２内部端子７を設けたもので、第２内部端子７は下方から第１内部端子６に弾性的に接触している。第２内部端子７は自身のばね力にて第１内部端子６に接触し、以下に説明するように測定用同軸プローブ１Ａのプランジャ１１に押圧されて下方に撓み、第１内部端子６から離間する。
【００１６】
中心導体プローブ１０は、それぞれ導電性部材からなるプランジャ１１、コイルばね１２、バレル１３にて構成され、バレル１３に対してその下部からコイルばね１２を介してプランジャ１１の上部が挿入されている。
【００１７】
ハウジング２５は、導電性部材からなる筒状体であり、径の大きな上部２５ａと径の小さな下部２５ｂとからなり、下部２５ｂの先端部には相手方レセプタクル２のグランド端子５の外周部に形成された環状溝部５ａ（図７参照）に嵌合する突部２６ｂが形成されたばね部２６ａを有している。このばね部２６ａはハウジング２５の先端部に軸方向に形成した複数のスリットによって構成され、軸方向と直交する方向に弾性的に変位可能である。また、ハウジング２５の上部２５ａにはその外周部に第１係合部２７ａ及び第２係合部２７ｂが軸方向に所定の間隔で環状の溝部として形成されている。
【００１８】
ブッシング２０は、絶縁体からなる筒状体であり、その中心孔には前記中心導体プローブ１０が収納されている。また、ブッシング２０は前記ハウジング２５の中心孔に収納されている。
【００１９】
スリーブ３０は、金属材料からそれぞれ筒状に形成された第１スリーブ３１と第２スリーブ３５とで構成されている。第１スリーブ３１は鍔状部３１ａにハウジング２５の外周部に弾性的に接触する複数のロック片３２ａを起立した状態で設け、このロック片３２ａは弾性片の先端に突部３２ｂを形成してなり、第１スリーブ３１に軸方向に形成した複数のスリットによって構成されている。また、第１スリーブ３１の小径の下部は、前記ハウジング２５の先端ばね部２６ａの外方への拡がりを規制する内径を有する環状部３３とされている。
【００２０】
第２スリーブ３５は、第１スリーブ３１の上部を覆うとともに前記ハウジング２５の上部２５ａを覆う筒状体であり、第１スリーブ３１の鍔状部３１ａを巻き込むようにかしめることで第１スリーブ３１と接合一体化されている。なお、第１スリーブ３１と第２スリーブ３５はかしめ以外に接着や溶接などで接合一体化してもよい。
【００２１】
ここで、測定用同軸プローブ１Ａの組立て手順について図２〜図６を参照して説明する。まず、図２に示すように、バレル１３に対してその下部からコイルばね１２を介してプランジャ１１の上部を挿入し、中心導体プローブ１０を組み立てる。次に、図３に示すように、この中心導体プローブ１０をブッシング２０の中心孔に挿入し、該ブッシング２０をハウジング２５の中心孔に挿入する。さらに、ハウジング２５を第１スリーブ３１の中心孔に挿入する。第１スリーブ３１に形成したロック片３２ａの突部３２ｂはハウジング２５の外周部に形成した第１係合部２７ａ及び第２係合部２７ｂに弾性的に嵌合可能であり、ハウジング２５は第１スリーブ３１の上端が段差部２８に当接するまで挿入され、このとき、ロック片３２ａの突部３２ｂが第１係合部２７ａに嵌合した状態となる。また、第２スリーブ３５の内周面とハウジング２５の上部２５ａの外周面との間には、ロック片３２ａが若干外方に撓むだけのスペース３８（図１参照）が設けられている。
【００２２】
次に、図４に示すように、第２スリーブ３５をハウジング２５の上部２５ａ及び第１スリーブ３１のロック片３２ａを覆うように被せ、第２スリーブ３５の下部を第１スリーブ３１の鍔状部３１ａにかしめて接合一体化する。ここで、図５に示すように、同軸ケーブル４０の中心導体４１（図１参照）を第２スリーブ３５の開口部３６及びハウジング２５の開口部２９から挿入してバレル１３の溝部１３ａにはんだ付けする。これにて中心導体４１がバレル１３及びコイルばね１２を介してプランジャ１１と電気的に導通状態となる。また、同軸ケーブル４０のシールド導体４２（図１参照）と接続されているアダプタ４３をハウジング２５の開口部２９に嵌合させ、リング４４をアダプタ４３の外周部にかしめる。これにてシールド導体４２がアダプタ４３を介してハウジング２５と電気的に導通状態となる。なお、図１に示す符号４５は、図示しない測定器への接続用コネクタで、同軸ケーブル４０の一端に設けられている。
【００２３】
さらに、ディスク２１をハウジング２５の上面に載置し、コイルばね２２を介してキャップ２３を第２スリーブ３５の上部に嵌合一体化させる。コイルばね２２はハウジング２５を下方に弾性的に押圧し、ロック片３２ａの突部３２ｂが第１係合部２７ａに係合した位置を保持させる。これにて、第１スリーブ３１の環状部３３がハウジング２５の先端ばね部２６ａに対する規制を解除した位置Ａ（図１参照）にセットされた状態が保持される。図６は、同軸ケーブル４０を接続して最終的に組み立てられた測定用同軸プローブ１Ａを示している。
【００２４】
次に、前記測定用同軸プローブ１Ａを相手方レセプタクル２に装着する動作について図７を参照して説明する。図７（Ａ）は装着前の状態を示し、前述の如く、第１スリーブ３１の環状部３３がハウジング２５の先端ばね部２６ａに対する規制を解除した位置Ａにセットされている。
【００２５】
ここで、ハウジング２５の先端ばね部２６ａを相手方レセプタクル２のグランド端子５の外周部に圧入していくと、図７（Ｂ）に示すように、突部２６ｂがグランド端子５の外周部に圧接してばね部２６ａが外方に若干拡径するとともに、プランジャ１１の先端が相手方レセプタクル２のケース３の中心孔４に突入する。さらに、ハウジング２５を押し込むと、図７（Ｃ）に示すように、突部２６ｂが環状溝部５ａに嵌合し、プランジャ１１の先端が第２内部端子７を押圧して下方に変位させ、第１内部端子６との接続を解除する。これにて、第２内部端子７はプランジャ１１、コイルばね１２、バレル１３を介して同軸ケーブル４０の中心導体４１と導通状態となり、この経路で信号が伝送されることになる。
【００２６】
さらに、スリーブ３０を下方に移動させると、前記ロック片３２ａの突部３２ｂが第１係合部２７ａとの係合を解除されて第２係合部２７ｂと係合する。このとき、第１スリーブ３１の環状部３３がハウジング２５の先端ばね部２６ａの外周部を包囲して該ばね部２６ａの拡がりを規制する位置Ｂ（図１参照）にセットされる。これにて、先端ばね部２６ａは外方への拡がりを規制され、外径方向への力が作用しても溝部５ａとの嵌合が解除されることはない。また、ばね部２６ａの変形や破損が防止される。
【００２７】
また、第２スリーブ３５の開口部３６の寸法Ｘ（図４参照）は、第１スリーブ３１及び第２スリーブ３５が位置Ａ−Ｂ間を移動する際に同軸ケーブル４０と干渉しない寸法とされている。
【００２８】
測定用同軸プローブ１Ａを相手方レセプタクル２から離脱させるには、前記とは逆の手順により、即ち、第２スリーブ３５の外周部を指でつまんで上方に引き抜けばよい。まず、スリーブ３０が上方に移動してロック片３２ａの突部３２ｂが第２係合部２７ｂとの係合を解除され、第１スリーブ３１の上端がハウジング２５の段差部２８に当接するとともにロック片３２ａの突部３２ｂが第１係合部２７ａと係合し、第１スリーブ３１の環状部３３がハウジング２５の先端ばね部２６ａに対する規制を解除する。これにて、ハウジング２５の先端ばね部２６ａの突部２６ｂが相手方レセプタクル２のグランド端子５の溝部５ａから離脱することになる。そして、相手方レセプタクル２においては、第２内部端子７が自身の弾性にて上方に変位し、第１内部端子６との接続状態に復帰する。
【００２９】
ところで、図７に示すように、環状部３３の内径と先端ばね部２６ａの外径との隙間Ｈは、嵌合時における先端ばね部２６ａの変位量Ｙよりも小さく設定されている。変位量Ｙとは、先端ばね部２６ａの外径をＤとし、最大変位外径をＤｍａｘとすると、Ｙ＝（Ｄｍａｘ−Ｄ）／２で算出される値である。
【００３０】
第１スリーブ３１のロック片３２ａがハウジング２５の外周部に圧接する力と、ハウジング２５の先端ばね部２６ａが相手方レセプタクル２のグランド端子５の外周部に圧接する力の関係は、先端ばね部２６ａを溝部５ａへ嵌合させようとする力Ｆｈｉよりも、ロック片３２ａが第１係合部２７ａへ嵌合する力Ｆｓｉのほうが大きく、また、ロック片３２ａを第２係合部２７ｂから引き抜くための力Ｆｓｏよりも、先端ばね部２６ａを溝部５ａから引き抜くための力Ｆｈｏのほうが大きく設定されている。
【００３１】
以上説明した測定用同軸プローブ１Ａは、ハウジング２５に対して軸方向に移動可能に保持されたスリーブ３０を設けるという簡単な構成からなる。そして、相手方レセプタクル２への装着時には、第２スリーブ３５を指でつまんでハウジング２５の先端ばね部２６ａを相手方レセプタクル２のグランド端子５に押し付けるのみで、ハウジング２５の先端ばね部２６ａをグランド端子５の溝部５ａに嵌合させることができる。しかも、ロック片３２ａが第２係合部２７ｂと係合することで、第１スリーブ３１の下部に設けた環状部３３がハウジング２５の先端ばね部２６ａの拡がりを規制するロック状態が維持される。
【００３２】
一方、離脱させる際には、第２スリーブ３５を指でつまんで引き抜くだけで、ロック片３２ａが第２係合部２７ｂとの係合を解除されるとともに第１スリーブ３１の環状部３３がハウジング２５の先端ばね部２６ａに対する規制を解除するため、ハウジング２５の先端ばね部２６ａがグランド端子５の溝部５ａとの嵌合を容易に解除される。
【００３３】
また、ロック片３２ａは弾性的に第１係合部２７ａ及び第２係合部２７ｂに係脱するために、作業者は係脱時のロック感によって相手方レセプタクル２への装着及び離脱の感触を得ることができる。さらに、ばね部２６ａやロック片３２ａをハウジング２５や第１スリーブ３１に軸方向に形成した複数のスリットによって構成しているため、簡易な構造でばね部２６ａやロック片３２ａを形成できる。
【００３４】
また、ハウジング２５と第２スリーブ３５との間にコイルばね２２を介在させているため、第１係合部２７ａとロック片３２ａとが互いに係合する方向にスリーブ３０を付勢することとなり、測定用同軸プローブ１Ａを相手方レセプタクル２から離脱させた際に、スリーブ３０が確実に初期位置に復帰することになる。なお、コイルばね２２のばね力は、装着時において、ロック片３２ａの第２係合部２７ｂに対する係合を解除させるほど強いものでないことは勿論である。
【００３５】
また、スリーブ３０を第１スリーブ３１と第２スリーブ３５という二つの部材で構成しているため、第１スリーブ３１及び第２スリーブ３５をそれぞれ適切な形状に容易に製作でき、同軸ケーブル４０の接続などの組立ても簡単なものになる。さらに、第２スリーブ３５は外装ケースとしても機能し、ロック片３２ａやハウジング２５などの内部部品を保護する。
【００３６】
そして、第２スリーブ３５の外径に対して第１スリーブ３１の外径が小さいため、携帯電話機などのケースに大きな穴を開けることなく挿入が可能となる。一方、上部に位置する第２スリーブ３５が太いので、指で容易につまむことができ、装着／離脱の作業がしやすくなる。
【００３７】
（第２実施例、図８参照）
図８に本発明の第２実施例である測定用同軸プローブ１Ｂを示す。この測定用同軸プローブ１Ｂは、前記第１実施例で用いたキャップ２３を省略し、第２スリーブ３５に天井部３７を設けてこの天井部３７とハウジング２５の上端に載置したディスク２１との間にコイルばね２２を介在させたものである。他の構成や動作及び作用効果は前記第１実施例と同様である。なお、図８では図１と同じ部品、部分には共通する符号を付し、重複する説明は省略する。
【００３８】
（第３実施例、図９参照）
なお、前記第１及び第２実施例に示したコイルばね２２は必ずしも必要なものではない。図９にコイルばね２２を省略した第３実施例である測定用同軸プローブ１Ｃを示す。この場合、第２スリーブ３５の上端は単にキャップ２４で覆われている。他の構成や動作及び作用効果は前記第１実施例と同様である。なお、図９では図１と同じ部品、部分には共通する符号を付し、重複する説明は省略する。
【００３９】
（特性測定、図１０参照）
次に、測定用同軸プローブを用いて携帯電話機の電気特性を測定する場合について説明する。図１０は携帯電話機１２０の高周波回路部分を示し、１２２はアンテナ素子、１２３はデュプレクサ、１３１は送信側アイソレータ、１３２は送信側増幅器、１３３は送信側段間用バンドパスフィルタ、１３４は送信側ミキサである。また、１３５は受信側増幅器、１３６は受信側段間用バンドパスフィルタ、１３７は受信側ミキサ、１３８は電圧制御発振器、１３９はローカル用バンドパスフィルタである。
【００４０】
アンテナ素子１２２とデュプレクサ１２３との間に相手方レセプタクル２が挿入されており、同軸ケーブル４０を介して図示しない測定器に接続された測定用同軸プローブ１Ａ（１Ｂ，１Ｃ）を装着することにより、携帯電話機１２０の製造工程において、高周波回路部分の電気特性をチェックする。
【００４１】
（他の実施例）
なお、本発明に係る同軸コネクタ及び測定用同軸プローブは、前記実施例に限定されるものではなく、その要旨の範囲内で種々に変更することができる。
【００４２】
特に、相手方レセプタクルの構成、形状は任意であり、特開２００３−１２３９１０号公報、同２００２−１００４４２号公報、同２００１−１７６６１２号公報などに記載の相手方レセプタクルを用いることも可能である。また、ハウジング、ブッシング、中心導体プローブ、スリーブの細部の形状なども任意である。
【００４３】
また、前記実施例では本発明を測定用同軸プローブに適用した例を示したが、測定用以外の同軸コネクタに適用できることは勿論である。
【産業上の利用可能性】
【００４４】
以上のように、本発明は、同軸ケーブルの先端に接続され、相手方レセプタクルに着脱自在な同軸コネクタ及び測定用プローブに有用であり、特に、簡単な構成からなり、相手方レセプタクルへの装着／離脱が容易で、繰り返しの使用に耐え得る点で優れている。
【図面の簡単な説明】
【００４５】
【図１】本発明に係る同軸コネクタ（測定用同軸プローブ）の第１実施例を示す断面図である。
【図２】前記測定用同軸プローブの第１組立工程を示す斜視図である。
【図３】前記測定用同軸プローブの第２組立工程を示す斜視図である。
【図４】前記測定用同軸プローブの第３組立工程を示す斜視図である。
【図５】前記測定用同軸プローブの第４組立工程を示す斜視図である。
【図６】組み立てられた前記測定用同軸プローブと相手方レセプタクルを示す斜視図である。
【図７】前記測定用同軸プローブが相手方レセプタクルに嵌合する動作を示す断面図である。
【図８】本発明に係る同軸コネクタ（測定用同軸プローブ）の第２実施例を示し、（Ａ）は相手方レセプタクルから離脱時の断面図、（Ｂ）は装着時の断面図である。
【図９】本発明に係る同軸コネクタ（測定用同軸プローブ）の第３実施例を示す断面図である。
【図１０】前記測定用同軸プローブを使用して測定される通信機器の回路を示すブロック図である。
【図１１】従来の同軸コネクタを示す断面図である。
【符号の説明】
【００４６】
１Ａ，１Ｂ，１Ｃ…測定用同軸プローブ（同軸コネクタ）
２…相手方レセプタクル
５…グランド端子（外部導体）
５ａ…溝部
１０…中心導体プローブ
１１…プランジャ
２０…ブッシング
２２…コイルばね
２５…ハウジング
２６ａ…先端ばね部
２６ｂ…突部
２７ａ…第１係合部
２７ｂ…第２係合部
３０…スリーブ
３１…第１スリーブ
３２ａ…ロック片
３３…環状部
３５…第２スリーブ
４０…同軸ケーブル
【図１】
0004479794.tif 000002
【図２】
0004479794.tif 000003
【図３】
0004479794.tif 000004
【図４】
0004479794.tif 000005
【図５】
0004479794.tif 000006
【図６】
0004479794.tif 000007
【図７】
0004479794.tif 000008
【図８】
0004479794.tif 000009
【図９】
0004479794.tif 000010
【図１０】
0004479794.tif 000011
【図１１】
0004479794.tif 000012